(57)【要約】      （修正有）【課題】法面の傾斜角度を精度よく測定するために、法面に対して垂直と水平との２点間での傾斜値の差から誤差を算出し、これを補正することのできる法面の直角測定器を提供する。【解決手段】第１アーム２に第１角度センサ３を備え、第２アーム４に第２角度センサ５を備え、第１アーム２と第２アーム４との各一方の端部同士を直角となるよう軸支され、第１アーム２と第２アーム４の各他方の端部同士を長さ調整可能な第３アーム７を介して連結してなり、第１アーム２を法面に沿って配置させ、法面に対して直角となるように、第１角度センサ３の角度を測定した数値を９０度から差し引いて、第２角度センサ５の測定値との誤差分を、第３アーム７の長さ調整により補正させる構造とした。【選択図】図１
0003220349.tif 000002
【実用新案登録請求の範囲】
【請求項１】
第１アームに第１角度センサを備え、第２アームに第２角度センサを備え、第１アームと第２アームとの各一方の端部同士を直角となるよう軸支され、第１アームと第２アームの各他方の端部同士を長さ調整可能な第３アームを介して連結してなり、第１アームを法面に沿って配置させ、法面に対して直角となるように、第１角度センサの角度を測定した数値を９０度から差し引いて、第２角度センサの測定値との誤差分を、第３アームの長さ調整により補正させる構造としたことを特徴とする法面の直角測定器。
【請求項２】
前記第３アームは、一端が前記第２アームの端部にボルト締めされ、他端が前記第１アームの端部に長さ調整可能な接続金具を介して接続されている構成とした請求項１記載の法面の直角測定器。
【請求項３】
前記第３アームは、全体が伸縮自在な構成とした請求項１記載の法面の直角測定器。
【考案の詳細な説明】
【技術分野】
【０００１】
本考案は、特定の傾斜面を有する法面の傾斜角度を精度よく測定するための法面の直角測定器に関する。
【背景技術】
【０００２】
従来、鉄筋挿入工は、斜面に鉄筋やロックボルトなどの比較的短い棒状の補強材を地山に多数挿入することにより、地山と補強材との相互作用によって移動土塊や傾斜上の岩塊等を安定化させる工法である。
【０００３】
この法面の鉄筋挿入工との併用で、補強材と法面とか結合され、補強材と一体となり補強効果をなす。また、補強材の長さがアンカーよりも短い場合には、比較的崩壊規模の小さい斜面に適用される。法面には吹付工や吹付枠工、プレキャスト製パネルなどがある。
【０００４】
例えば、特許文献１に開示されているように、傾斜地において落石の可能性をできるだけ抑えつつも表土の崩壊等を防ぎ、しかも草木の生育を促すことのできる傾斜地の保護方法及び構造が提供されている。
【０００５】
すなわち、傾斜地の表面に固化土層を形成し、該固化土層から傾斜地に孔に棒状補強材を挿入し棒状補強材の先端部を傾斜地の斜面よりも突出させ、孔の空隙にグラウトを注入する。そして、固化土層の上に植生基盤材を吹付けて植生基盤層を形成し、その上に土壌浸食防止マットを傾斜地に対してピンで固定する。その後土壌浸食防止マットの上にネットを敷設し、該ネットを棒状補強材の先端部に固定するものとされている。
【０００６】
このとき上記した施工においては法面の傾斜角度を精度よく測定する必要がある。例えば特許文献２に開示されているように、２点間の離隔と高低差を測定するにあたり、基準面と平行な２点間の離隔と、基準面と垂直な２点間の高低差を測定する水平器付三角定規が存在する。
【０００７】
すなわち、直角に交わる二辺に目盛が付されている三角定規版に対し垂直な軸に回動可能に軸支され、その軸を含む仮想面が水平か否かを確認する水平器を備え、基準面の傾きに応じて、その傾きを相殺するように水平器の角度を切り替えている水平器付三角定規の第１の辺を引き上げている側のトロリー線に当接させ、第２の辺を引き上げられていない側のトロリー線に当接させ、その水平器の仮想面が水平となるように水平器付三角定規の姿勢を調節した状態で目盛を読み取り、２本のトロリー線の離隔と高低差を測定するものである。
【先行技術文献】
【特許文献】
【０００８】
【特許文献１】特開２０１３−２３４４９７号公報
【特許文献２】特開２０１８−００４３３５号公報
【考案の概要】
【考案が解決しようとする課題】
【０００９】
しかしながら、上記した特許文献２の場合は、２本のトロリー線において、基準面と平行な２点間の離隔と、基準面と垂直な２点間の高低差を測定するものであるが、法面に対して鉄筋を垂直に挿入する目的で、法面の傾斜角度を精度よく測定するには、法面に対して垂直と水平との２点間での傾斜値の差から誤差を算出する必要があり、上述した特許文献２では不可能である。
【００１０】
そこで、本考案は叙上のような従来存した諸事情に鑑み創出されたもので、法面の傾斜角度を精度よく測定するために、法面に対して垂直と水平との２点間での傾斜値の差から誤差を算出し、これを補正することのできる法面の直角測定器を提供することを目的とする。
【課題を解決するための手段】
【００１１】
上述した課題を解決するために、本考案に係る法面の直角測定器にあっては、第１アームに第１角度センサを備え、第２アームに第２角度センサを備え、第１アームと第２アームとの各一方の端部同士を直角となるよう軸支され、第１アームと第２アームの各他方の端部同士を長さ調整可能な第３アームを介して連結してなり、第１アームを法面に沿って配置させ、法面に対して直角となるように、第１角度センサの角度を測定した数値を９０度から差し引いて、第２角度センサの測定値との誤差分を、第３アームの長さ調整により補正させる構造としたものである。
【００１２】
前記第３アームは、一端が前記第２アームの端部にボルト締めされ、他端が前記第１アームの端部に長さ調整可能な接続金具を介して接続されている構成とすることができる。
【００１３】
前記第３アームは、全体が伸縮自在な構成としたものとすることができる。
【考案の効果】
【００１４】
本考案によれば、法面の傾斜角度を精度よく測定するために、法面に対して垂直と水平との２点間での傾斜値の差から誤差を算出し、これを補正することのできる法面の直角測定器を提供することができる。
【００１５】
すなわち、これは本考案に係る法面の直角測定器にあっては、第１アームに第１角度センサを備え、第２アームに第２角度センサを備え、第１アームと第２アームとの各一方の端部同士を直角となるよう軸支され、第１アームと第２アームの各他方の端部同士を長さ調整可能な第３アームを介して連結してなり、第１アームを法面に沿って配置させ、法面に対して直角となるように、第１角度センサの角度を測定した数値を９０度から差し引いて、第２角度センサの測定値との誤差分を、第３アームの長さ調整により補正させる構造としたものであり、これにより、第３アームの存在で第２アームの第１アームに対する回動補正により、精度の良い法面に対する直角方向が得られ、鉄筋を法面に垂直に挿入することができる。
【００１６】
前記第３アームは、一端が前記第２アームの端部にボルト締めされ、他端が前記第１アームの端部に長さ調整可能な接続金具を介して接続されている構成とするので、第３アームの長さ調整が接続金具でもって可能となり、これにより、第２アームの第１アームに対する回動補正が容易に行える。
【００１７】
前記第３アームは、全体が伸縮自在な構成としたので、第２アームの第１アームに対する回動補正が容易に行える。
【図面の簡単な説明】
【００１８】
【図１】本考案を実施するための一形態における法面の直角測定器の図である。
【図２】同じく使用状態を説明する図である。
【考案を実施するための形態】
【００１９】
以下、図面を参照して本考案の実施の一形態を詳細に説明すると、図において示される符号１は、本考案に係る法面の直角測定器１であり、法面に鉄筋を挿入する際に使用する治具である。
【００２０】
この直角測定器１は、図１に示すように、第１アーム２にデジタル式の第１角度センサ３を備え、第２アーム４にデジタル式の第２角度センサ５を備え、第１アーム２と第２アーム４との各一方の端部同士を直角となるよう軸部６を介して軸支されている。また、第１アーム２と第２アーム４の各他方の端部同士を長さ調整可能な第３アーム７を介して連結してなる。この第２角度センサ５の両側には青色バックライト付きの気泡管５Ａ，５Ｂが配置されている。
【００２１】
この第３アーム７は、一端が前記第２アーム４の端部にボルト８締めされ、他端が前記第１アーム２の端部に長さ調整可能な接続金具９を介して接続されている。この接続金具９は、第３アーム７の端部に固定軸７Ａにより取り付けた長尺なループ金具９Ａと第１アーム２の端部に固定軸２Ａにより取り付けた長尺なループ金具９Ｂとのそれぞれの孔部を互いに合致させて、これらの孔部にネジを通し、反対側から蝶ボルト１０で締結することによって所定の長さとなって固定される。
【００２２】
なお、この第３アーム７は、全体が伸縮自在な構成としてもよい。また、角度を測定するセンサ３，５は治具の中、すなわちそれぞれ第１アーム２と第２アーム４との中に埋められていても良い。
【００２３】
次に、以上のように構成された形態についての使用の一例について説明すると、先ず、図２に示すように、第１アーム２を法面に沿って配置させる。このとき、第１角度センサ３の角度を測定した数値が６９．９５度であった場合、９０−６９．９５＝２０．０５度となる。このとき第２角度センサ５が２０．３０度となっている場合は、２０．３０−２０．０５＝０．２５度が測定値との誤差分であり、この数値が０度となるように第３アーム７の長さの微調整により補正させる。
【００２４】
すなわち、接続金具９は、第３アーム７の端部に固定軸７Ａにより取り付けた長尺なループ金具９Ａと第１アーム２の端部に固定軸２Ａにより取り付けた長尺なループ金具９Ｂとのそれぞれの孔部を互いにずらす。このとき軸部６を介して第１アーム２に対し第２アーム４が回動して角度を正確に９０度となるよう微調整し、これらの孔部にネジを通し、反対側から蝶ボルト１０で締結する。
【００２５】
こうして第３アーム７の存在で第２アーム４の第１アーム２に対する回動補正により、精度の良い法面に対する直角方向が得られ、これに沿って、鉄筋を法面に垂直に挿入することができる。
【符号の説明】
【００２６】
１…法面の直角測定器
２…第１アーム
２Ａ…固定軸
３…第１角度センサ
４…第２アーム
５…第２角度センサ
５Ａ，５Ｂ…気泡管
６…軸部
７…第３アーム
７Ａ…固定軸
８…ボルト
９…接続金具
９Ａ，９ｂ…ループ金具
１０…蝶ナット
【図１】
0003220349.tif 000003
【図２】
0003220349.tif 000004